(57)【特許請求の範囲】
【請求項１】
画像形成装置で画像が印刷された用紙である印刷済用紙の排出先であり、排出された印刷済用紙をユーザーが取り出し可能な取出口部と、前記取出口部から印刷済用紙が取り出されるのを阻止する取出阻止部材と、を有する複数のボックス部と、
前記複数のボックス部のそれぞれについて、印刷済用紙が所定量に到達したことを検知する検知部と、
印刷済用紙の排出先となるボックス部を前記複数のボックス部から選択し、前記選択されたボックス部に複数の印刷済用紙を排出中に、前記選択されたボックス部の印刷済用紙が前記所定量に到達したことが前記検知部により検知された場合、残りの印刷済用紙を排出するボックス部を前記複数のボックス部から選択する選択部と、
前記複数のボックス部のうち印刷済用紙が排出されたボックス部に割り当てられた取出許可情報を記憶する記憶部と、
外部から入力された取出許可情報を受け付ける受付部と、
前記記憶部に記憶されている取出許可情報と前記受付部で受け付けられた取出許可情報とが一致していると判断した場合、当該取出許可情報が割り当てられたボックス部の前記取出阻止部材に対して、前記取出口部から印刷済用紙が取り出されるのを阻止する状態から前記取出口部から印刷済用紙が取り出せる状態に切り換え制御をする切換部と、
前記複数のボックス部のうち二以上のボックス部が前記選択部により選択されて印刷済用紙が排出された場合、最初に選択されたボックス部以外のボックス部に対してそれぞれ異なる取出許可情報を割り当てて、前記記憶部に記憶させる割当部と、を備え、
前記複数のボックス部のうち二以上のボックス部が前記選択部により選択されて印刷済用紙が排出された場合、前記切換部は、(１)前記最初に選択されたボックス部については、前記記憶部に記憶されている取出許可情報であるパスワードと、前記受付部で受け付けられた取出許可情報であるパスワードとが一致していると判断した場合に、前記最初に選択されたボックス部の前記取出阻止部材に対する前記切り換え制御を実行し、(２)前記最初に選択されたボックス部以外のボックス部については、第ｎ番目(ｎは２以上の整数)に選択されたボックス部に割り当てられた、前記記憶部に記憶されている取出許可情報と、前記受付部で受け付けられた、前記第ｎ−１番目に選択されたボックス部に排出された用紙に印刷されている取出許可情報とが一致していると判断した場合に、前記第ｎ番目に選択されたボックス部の前記取出阻止部材に対する前記切り換え制御を実行する用紙後処理装置。
【請求項２】
前記割当部は、パスワードを取出許可情報として、前記第ｎ番目に選択されたボックス部に割り当てて、前記記憶部に記憶させ、
前記第ｎ番目に選択されたボックス部に割り当てられたパスワードを、前記画像形成装置により用紙に印刷させて、前記第ｎ−１番目に選択されたボックス部に排出させるパスワード印刷命令部を備える請求項１に記載の用紙後処理装置。
【請求項３】
前記割当部は、前記第ｎ−１番目に選択されたボックス部に最後に排出された印刷済用紙の画像データを前記画像形成装置に要求し、前記画像形成装置から送られてきた当該印刷済用紙の画像データを取出許可情報として、前記第ｎ番目に選択されたボックス部に割り当てて、前記記憶部に記憶させる請求項１に記載の用紙後処理装置。
【請求項４】
請求項２に記載の用紙後処理装置と、
画像を用紙に印刷し、当該画像が印刷された用紙である印刷済用紙を前記用紙後処理装置に搬送する装置本体と、
パスワードを入力可能な操作部と、を備え、
前記パスワード印刷命令部の命令に従って、前記第ｎ番目に選択されたボックス部に割り当てられたパスワードを、前記装置本体により用紙に印刷させて、前記第ｎ−１番目に選択されたボックス部に排出させ、
前記受付部は、前記操作部に入力された、前記第ｎ番目に選択されたボックス部に割り当てられたパスワードを、取出許可情報として受け付ける画像形成装置。
【請求項５】
請求項３に記載の用紙後処理装置と、
原稿を読み取り当該原稿の画像データを出力する原稿読取部と、
画像を用紙に印刷し、当該画像が印刷された用紙である印刷済用紙を前記用紙後処理装置に搬送する装置本体と、を備え、
前記受付部は、前記原稿読取部で読み取られた、前記第ｎ−１番目に選択されたボックス部に前記最後に排出された印刷済用紙の画像データを、取出許可情報として受け付ける画像形成装置。
【発明の詳細な説明】
【技術分野】
【０００１】
本発明は、画像形成装置で画像が印刷された用紙が排出される複数のボックス部を備える用紙後処理装置及びこれを含む画像形成装置に関する。
【背景技術】
【０００２】
用紙後処理装置は、画像形成装置により画像が印刷された用紙に対して、各種の後処理(ソート、ステープラ、パンチ等)をする装置であり、画像形成装置のオプションとして使用される。
【０００３】
従来の用紙後処理装置において、プリンターから出力された用紙を、複数のビンのうち任意のビンに排出できる構成を有すると共に、セキュリティのために各ビンをロックするロック機構を有するメールボックスソーター装置が提案されている(例えば、特許文献１参照)。
【０００４】
このソーター装置によれば、ロック解除スイッチが押されることにより発生するロック解除指令と、該当するビン固有に与えられる、ソーター装置以外からのロック解除信号とのアンド条件が成立した時に、ロック機構を解除可能にしている。
【先行技術文献】
【特許文献】
【０００５】
【特許文献１】特開平９−２５０４９号公報
【発明の概要】
【発明が解決しようとする課題】
【０００６】
画像形成装置で画像が印刷された用紙である印刷済用紙が排出される複数のボックス部を備える用紙後処理装置おいて、パスワード認証により、各ボックス部から印刷済用紙を取り出し可能にする構成を考える。セキュリティを強化するために、複数のボックス部のそれぞれに異なるパスワードを割り当てた場合、排出枚数が多すぎて一つのボックス部に収まらず、二以上のボックス部に排出されると、ユーザーにとってパスワードの暗記が負担となる。
【０００７】
本発明は、画像形成装置から排出される印刷済用紙について、二以上のボックス部が選択されて排出された場合、各ボックス部に排出された印刷済用紙のセキュリティを確保しつつ、パスワードの暗記の負担を少なくすることができる用紙後処理装置及びこれを含む画像形成装置を提供することを目的とする。
【課題を解決するための手段】
【０００８】
上記目的を達成する本発明の一の局面に係る用紙後処理装置は、画像形成装置で画像が印刷された用紙である印刷済用紙の排出先であり、排出された印刷済用紙をユーザーが取り出し可能な取出口部と、前記取出口部から印刷済用紙が取り出されるのを阻止する取出阻止部材と、を有する複数のボックス部と、前記複数のボックス部のそれぞれについて、印刷済用紙が所定量に到達したことを検知する検知部と、印刷済用紙の排出先となるボックス部を前記複数のボックス部から選択し、前記選択されたボックス部に複数の印刷済用紙を排出中に、前記選択されたボックス部の印刷済用紙が前記所定量に到達したことが前記検知部により検知された場合、残りの印刷済用紙を排出するボックス部を前記複数のボックス部から選択する選択部と、前記複数のボックス部のうち印刷済用紙が排出されたボックス部に割り当てられた取出許可情報を記憶する記憶部と、外部から入力された取出許可情報を受け付ける受付部と、前記記憶部に記憶されている取出許可情報と前記受付部で受け付けられた取出許可情報とが一致していると判断した場合、当該取出許可情報が割り当てられたボックス部の前記取出阻止部材に対して、前記取出口部から印刷済用紙が取り出されるのを阻止する状態から前記取出口部から印刷済用紙が取り出せる状態に切り換え制御をする切換部と、前記複数のボックス部のうち二以上のボックス部が前記選択部により選択されて印刷済用紙が排出された場合、最初に選択されたボックス部以外のボックス部に対してそれぞれ異なる取出許可情報を割り当てて、前記記憶部に記憶させる割当部と、を備え、前記複数のボックス部のうち二以上のボックス部が前記選択部により選択されて印刷済用紙が排出された場合、前記切換部は、(１)前記最初に選択されたボックス部については、前記記憶部に記憶されている取出許可情報であるパスワードと、前記受付部で受け付けられた取出許可情報であるパスワードとが一致していると判断した場合に、前記最初に選択されたボックス部の前記取出阻止部材に対する前記切り換え制御を実行し、(２)前記最初に選択されたボックス部以外のボックス部については、第ｎ番目(ｎは２以上の整数)に選択されたボックス部に割り当てられた、前記記憶部に記憶されている取出許可情報と、前記受付部で受け付けられた、前記第ｎ−１番目に選択されたボックス部に排出された用紙に印刷されている取出許可情報とが一致していると判断した場合に、前記第ｎ番目に選択されたボックス部の前記取出阻止部材に対する前記切り換え制御を実行する。
【０００９】
本発明の一の局面に係る用紙後処理装置では、ボックス部に印刷済用紙が排出される際に、二以上のボックス部が選択されて排出された場合、最初に選択されたボックス部の取出阻止部材に対する切り換え制御を、パスワードからなる取出許可情報を用いて実行する。最初に選択されたボックス部以外のボックス部については、第ｎ番目(ｎは２以上の整数)に選択されたボックス部の取出阻止部材に対する切り換え制御を、第ｎ−１番目に選択されたボックス部に排出された用紙に印刷されている取出許可情報を用いて実行する。
【００１０】
最初に選択されたボックス部については、パスワード(取出許可情報の一例)の認証により、ボックス部から印刷済用紙を取り出す許可がされるので、最初に選択されたボックス部に排出された印刷済用紙のセキュリティを確保できる。最初に選択されたボックス部以外のボックス部については、それぞれ異なる取出許可情報を割り当てて、取出許可情報の認証により、それらのボックス部から印刷済用紙を取り出す許可がされるので、それらのボックス部に排出された印刷済用紙のセキュリティも確保できる。
【００１１】
また、最初に選択されたボックス部以外のボックス部に割り当てられる取出許可情報は、第ｎ−１番目に選択されたボックス部に排出された用紙に印刷されている。従って、その印刷を命令した者にパスワードの暗記の負担を少なくさせることができると共に、その印刷を命令した者以外の者に取出許可情報が漏洩することを防止できる。
【００１２】
以上により、本発明の一の局面に係る用紙後処理装置によれば、画像形成装置から排出される印刷済用紙について、二以上のボックス部が選択されて排出された場合、各ボックス部に排出された印刷済用紙のセキュリティを確保しつつ、パスワードの暗記の負担を少なくすることができる。
【００１３】
後で説明する本発明の他の局面に係る画像形成装置及びさらに他の局面に係る画像形成装置は、以上説明した本発明の一の局面に係る用紙後処理装置と同様の作用効果を有する。
【００１４】
なお、選択されたボックス部の印刷済用紙が所定量とは、例えば、選択されたボックス部が満杯となる印刷済用紙の量又は満杯に近い印刷済用紙の量をいう。
【００１５】
上記構成において、前記割当部は、パスワードを取出許可情報として、前記第ｎ番目に選択されたボックス部に割り当てて、前記記憶部に記憶させ、前記第ｎ番目に選択されたボックス部に割り当てられたパスワードを、前記画像形成装置により用紙に印刷させて、前記第ｎ−１番目に選択されたボックス部に排出させるパスワード印刷命令部を備える。
【００１６】
この構成によれば、最初に選択されたボックス部以外のボックス部について、最初に選択されたボックス部と同様に、パスワードの認証により、ボックス部から印刷済用紙を取り出す許可がされる。最初に選択されたボックス部以外の第ｎ番目に選択されたボックス部に割り当てられるパスワードは、第ｎ−１番目に選択されたたボックス部に排出された用紙に印刷されている。従って、印刷を命令した者に対して、最初に選択されたボックス部以外のボックス部に割り当てられたパスワードを暗記させる必要をなくすことができる。
【００１７】
上記構成において、前記割当部は、前記第ｎ−１番目に選択されたボックス部に最後に排出された印刷済用紙の画像データを前記画像形成装置に要求し、前記画像形成装置から送られてきた当該印刷済用紙の画像データを取出許可情報として、前記第ｎ番目に選択されたボックス部に割り当てて、前記記憶部に記憶させる。
【００１８】
この構成によれば、第ｎ−１番目に選択されたボックス部に排出された印刷済用紙のうち、最後に排出された印刷済用紙の画像データを、取出許可情報にしている。従って、第ｎ−１番目に選択されたボックス部には、印刷済用紙が満杯になるまで印刷済用紙を排出することができる。
【００１９】
本発明の他の局面に係る画像形成装置は、上記パスワード印刷命令部を備える用紙後処理装置と、画像を用紙に印刷し、当該画像が印刷された用紙である印刷済用紙を前記用紙後処理装置に搬送する装置本体と、パスワードを入力可能な操作部と、を備え、前記パスワード印刷命令部の命令に従って、前記第ｎ番目に選択されたボックス部に割り当てられたパスワードを、前記装置本体により用紙に印刷させて、前記第ｎ−１番目に選択されたボックス部に排出させ、前記受付部は、前記操作部に入力された、前記第ｎ番目に選択されたボックス部に割り当てられたパスワードを、取出許可情報として受け付ける。
【００２０】
本発明の他の局面に係る画像形成装置によれば、上記パスワード印刷命令部を備える用紙後処理装置と同様の作用効果を有する。
【００２１】
本発明のさらに他の局面に係る画像形成装置は、前記第ｎ−１番目に選択されたボックス部に最後に排出された印刷済用紙の画像データを当該画像形成装置に要求する前記割当部を備える用紙後処理装置と、原稿を読み取り当該原稿の画像データを出力する原稿読取部と、画像を用紙に印刷し、当該画像が印刷された用紙である印刷済用紙を前記用紙後処理装置に搬送する装置本体と、を備え、前記受付部は、前記原稿読取部で読み取られた、前記第ｎ−１番目に選択されたボックス部に前記最後に排出された印刷済用紙の画像データを、取出許可情報として受け付ける。
【００２２】
本発明のさらに他の局面に係る画像形成装置によれば、第ｎ番目に選択されたボックス部に排出された印刷済用紙を取り出すための認証に用いる印刷済用紙の画像(すなわち、第ｎ−１番目に選択されたボックス部に最後に排出された印刷済用紙の画像)の読み取りを、画像形成装置に備えられる原稿読取部で実行している。従って、印刷済用紙を取り出すための認証に用いる印刷済用紙の画像を読み取る装置を、用紙後処理装置に設置する必要をなくすことができる。
【発明の効果】
【００２３】
本発明によれば、画像形成装置から排出される印刷済用紙について、二以上のボックス部が選択されて排出された場合、各ボックス部に排出された印刷済用紙のセキュリティを確保しつつ、パスワードの暗記の負担を少なくすることができる。
【図面の簡単な説明】
【００２４】
【図１】本発明の一実施形態に係る画像形成装置の概略を示す図である。
【図２】図１に示す画像形成装置において、２番ボックス部の扉部が上開きされた状態を示す図である。
【図３】図１に示す画像形成装置の構成を示すブロック図である。
【図４】用紙後処理部を構成する一つのボックス部の平面図である。
【図５】図４をＡ−Ａ線に沿って切断した断面図である。
【図６】図４をＡ−Ａ線に沿って切断した図であり、扉部のロックを解除した状態を示す断面図である。
【図７】図４をＡ−Ａ線に沿って切断した図であり、印刷済用紙がボックス部に排出されている状態を示す断面図である。
【図８】図１に示す用紙後処理部の構成を示すブロック図である。
【図９】記憶部に記憶されているデータの一例を示す図である。
【図１０】本実施形態に係る画像形成装置を用いて画像を用紙に印刷し、この印刷済用紙をボックス部に排出する処理を説明するフローチャートである(その１)。
【図１１】本実施形態に係る画像形成装置を用いて画像を用紙に印刷し、この印刷済用紙をボックス部に排出する処理を説明するフローチャートである(その２)。
【図１２】パスワードが印刷された用紙の一例を示す図である。
【図１３】ボックス部に排出された印刷済用紙の束の一例を示す図である。
【発明を実施するための形態】
【００２５】
以下、図面に基づいて本発明の実施形態を詳細に説明する。図１は本発明の一実施形態に係る画像形成装置１の概略を示す図である。画像形成装置１は例えば、コピー、プリンター、スキャナー及びファクシミリの機能を有するデジタル複合機に適用することができる。画像形成装置１は装置本体１００、装置本体１００の上に配置された原稿読取部２００、原稿読取部２００の上に配置された原稿給送部３００、装置本体１００の上部前面に配置された操作部４００、及び装置本体１００の用紙搬出側、例えば左側に配置された用紙後処理部５００を備える。図１において、用紙後処理部５００以外は内部構造の概略が示され、用紙後処理部５００は外観が示されている。
【００２６】
原稿給送部３００は自動原稿送り装置として機能し、原稿載置部３０１、給紙ローラー３０３、原稿搬送部３０５及び原稿排出部３０７を備える。給紙ローラー３０３は原稿載置部３０１にセットされた原稿を１枚ずつ繰り出す。原稿搬送部３０５は繰り出された原稿を原稿読取部２００に搬送する。原稿は原稿読取部２００で読み取られて原稿排出部３０７に排出される。
【００２７】
原稿読取部２００は露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながら上記ＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２８】
装置本体１００は用紙貯留部１０１、画像形成部１０３及び定着部１０５を備える。用紙貯留部１０１は装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送部１１１へ向けて送出される。用紙は用紙搬送部１１１を通って、画像形成部１０３へ搬送される。
【００２９】
画像形成部１０３は搬送されてきた用紙に画像データを基にしてトナー画像を形成する。画像形成部１０３は、除電部１１２、感光体ドラム１１３、帯電部１１４、露光部１１５、転写ドラム１１６、現像部１１７Ｃ，１１７Ｍ，１１７Ｙ，１１７ＢＫ及び転写部１１９を備える。
【００３０】
除電部１１２は、感光体ドラム１１３の表面から残留電荷を除電する装置である。帯電部１１４は、除電後の感光体ドラム１１３の表面を帯電させる装置である。露光部１１５は、画像データ(原稿読取部２００から出力された画像データ、パソコンから送信された画像データ、ファクシミリ受信の画像データ等)に対応して変調された光を生成し、一様に帯電された感光体ドラム１１３の周面に照射することにより、感光体ドラム１１３の表面に静電潜像を形成する装置である。
【００３１】
現像部１１７Ｃ，１１７Ｍ，１１７Ｙ，１１７ＢＫは、上記静電潜像が形成されている感光体ドラム１１３上に、シアン(Ｃ)、マゼンタ(Ｍ)、イエロー(Ｙ)及びブラック(ＢＫ)の各色のトナー画像を形成させる装置である。なお、各色の現像部を区別する必要がなければ、現像部１１７と記載する。転写ドラム１１６上で、感光体ドラム１１３に形成された各色のトナー画像が転写されて重ね合わされる。転写部１１９は、転写ドラム１１６上のトナー画像を用紙に転写させる装置である。なお、シアン、マゼンタ、イエロー及びブラックの各色に対するトナーは、図略のトナー供給容器又はトナーカートリッジから供給される。
【００３２】
トナー画像が転写された用紙は定着部１０５に送られる。定着部１０５において、トナー画像と用紙に熱と圧力が加えられて、トナー画像は用紙に定着される。これにより、用紙への画像の印刷が完了する。この印刷済用紙に対して後処理がされる場合、印刷済用紙は装置本体１００の用紙排出口１２１から用紙後処理部５００へ送られる。これに対して後処理がされない場合、印刷済用紙は排紙トレイ１２３に排紙される。
【００３３】
用紙後処理部５００は用紙後処理装置の一例であり、画像形成装置１で画像が印刷された用紙である印刷済用紙が排出されるボックス部として機能し、１０個のボックス部１０−１〜１０−１０(複数のボックス部の一例)を備える。これらのボックス部を区別する必要がなければ、ボックス部１０と記載する。
【００３４】
図１において、用紙搬送部５０３の一部及び用紙搬入口５０１が内部構造として表れている。用紙搬送部５０３は用紙排出口１２１から用紙搬入口５０１に搬入された印刷済用紙を順次搬送し、後で説明する選択部２１(図８)により選択されたボックス部１０に印刷済用紙を排出する。
【００３５】
各ボックス部１０は扉部１１を有する。扉部１１は上開きすることができる。図２は図１に示す画像形成装置１において、２番ボックス部１０−２の扉部１１が上開きされた状態を示す図である。扉部１１は扉部１１の両端に取り付けられたヒンジ１２ａ，１２ｂの支点により９０度、上開きすることができる。扉部１１を上開きすることにより、ボックス部１０の取出口部１３が表れる。ボックス部１０に排出された印刷済用紙は取出口部１３から取り出すことができる。
【００３６】
図１を参照して操作部４００について説明する。操作部４００は操作キー部４０１と表示部４０３を備える。表示部４０３はタッチパネル機能を有しており、ソフトキーを含む画面が表示される。ユーザーは画面を見ながらソフトキーを操作することによって、コピー等の機能の実行に必要な設定等をする。
【００３７】
操作キー部４０１はハードキーからなる操作キーを備えており、具体的にはヘルプキー４０５、スタートキー４０７、テンキー４０９及び機能切換キー４１１等を備える。ヘルプキー４０５はヘルプ画面を表示部４０３に表示させるキーである。ヘルプ画面とはスキャナー、ファクシミリ、プリンター、コピー等の機能に関する操作方法が表示された画面である。
【００３８】
スタートキー４０７はコピー、ファクシミリ送信等の動作を開始させるキーである。テンキー４０９はコピー部数、ファクシミリ番号等の数字を入力するキーである。
【００３９】
機能切換キー４１１はコピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００４０】
図３は図１に示す画像形成装置１の構成を示すブロック図である。画像形成装置１は装置本体１００、原稿読取部２００、原稿給送部３００、操作部４００、用紙後処理部５００、制御部６００及び通信部７００がバスによって相互に接続された構成を有する。装置本体１００、原稿読取部２００及び原稿給送部３００に関しては既に説明したので、説明を省略する。
【００４１】
制御部６００はＣＰＵ(Central Processing Unit)、ＲＯＭ(Read Only Memory)、及びＲＡＭ(Random Access Memory)等を備える。ＣＰＵは画像形成装置１を動作させるために必要な制御を、装置本体１００等の画像形成装置１の上記構成要素に対して実行する。ＲＯＭは画像形成装置１の動作の制御に必要なソフトウェアを記憶している。ＲＡＭはソフトウェアの実行時に発生するデータの一時的な記憶及びアプリケーションソフトの記憶等に利用される。
【００４２】
通信部７００はファクシミリ通信部７０１及びネットワークＩ／Ｆ部７０３を備える。ファクシミリ通信部７０１は相手先ファクシミリとの電話回線の接続を制御するＮＣＵ(Network Control Unit)及びファクシミリ通信用の信号を変復調する変復調回路を備える。ファクシミリ通信部７０１は電話回線７０５に接続される。
【００４３】
ネットワークＩ／Ｆ部７０３はＬＡＮ(Local Area Network)７０７に接続される。ネットワークＩ／Ｆ部７０３はＬＡＮ７０７に接続されたパソコン等の端末装置との間で通信を実行するための通信インターフェイス回路である。
【００４４】
用紙後処理部５００について詳細に説明する。図４は一つのボックス部１０の平面図である。図５は図４をＡ−Ａ線に沿って切断した断面図である。ボックス部１０の前面は取出口部１３である。扉部１１を開けると取出口部１３が露出し、ユーザーはボックス部１０に排出された印刷済用紙を取り出すことができる。扉部１１を閉じると、取出口部１３は扉部１１で覆われる。
【００４５】
扉部１１の裏面のうち、ボックス部１０の一方の側面１０ａ側に、その裏面から突出した突片１４が固定されている。扉部１１の隣に、プランジャー１５ａを有するソレノイド１５が配置されている。ボックス部１０の一方の側面１０ａには、プランジャー１５ａが通される貫通穴１０ｃが形成されている。プランジャー１５ａの先端部は、突片１４に形成された穴部(不図示)を通過可能にされている。図４及び図５では、プランジャー１５ａの先端部が突片１４に形成された穴部に通された状態である。これは扉部１１がロックされた状態(言い換えれば開かれるのが阻止される状態)である。扉部１１とソレノイド１５により、取出口部１３から印刷済用紙が取り出されるのを阻止する取出阻止部材が構成される。扉部１１の替わりに、取出口部１３を閉じるシャッターを用いることもできる。
【００４６】
図６は図５に示すプランジャー１５ａを引っ込めることにより、プランジャー１５ａの先端部が突片１４の穴部から抜けた状態を示す図である。これは扉部１１を開けることができる状態である。
【００４７】
図４を参照して、用紙搬送部５０３(図１)により搬送された印刷済用紙は、ボックス部１０の一方の側面１０ａに形成された開口部１０ｄを介してボックス部１０に排出される。図７は図４をＡ−Ａ線に沿って切断した断面図であり、ボックス部１０に印刷済用紙１６が排出されている状態を示している。
【００４８】
検知部１７について説明する。図４に示すように、ボックス部１０の背面１０ｅの上部のうち、他方の側面１０ｂ側に投光部１７ａが取り付けられている。扉部１１の裏面の上部のうち、ボックス部１０の他方の側面１０ｂ側に受光部１７ｂが取り付けられている。投光部１７ａと受光部１７ｂにより検知部１７が構成される。投光部１７ａを扉部１１の裏面に取り付け、受光部１７ｂをボックス部１０の背面１０ｅに取り付けてもよい。
【００４９】
図７に示すように、投光部１７ａと受光部１７ｂが配置されている高さＨは、ボックス部１０の印刷済用紙１６が所定量(例えば、満杯の量又は満杯に近い量)に到達した場合に、ボックス部１０に堆積された印刷済用紙１６の高さに設定されている。
【００５０】
ボックス部１０の印刷済用紙１６が所定量に到達していない場合、投光部１７ａから発した光が受光部１７ｂで受光される。これにより、検知部１７は、ボックス部１０の印刷済用紙１６が所定量でないことを示す信号を後で説明する選択部２１に送る。これに対して、ボックス部１０に印刷済用紙１６が堆積し、ボックス部１０の印刷済用紙１６が所定量に到達した場合、投光部１７ａから発した光が受光部１７ｂで受光できない状態となる。これにより、検知部１７はボックス部１０の印刷済用紙１６が所定量に到達したことを示す信号を選択部２１に送る。
【００５１】
以上のように検知部１７は、１０個のボックス部１０のそれぞれについて、印刷済用紙１６が所定量に到達したことを検知する機能を有する。印刷済用紙１６が満杯の量に到達した検知や、満杯に近い量に到達した検知は、投光部１７ａと受光部１７ｂが配置されている高さＨを調整することにより実現することができる。
【００５２】
図８は図１に示す用紙後処理部５００の構成を示すブロック図である。用紙後処理部５００は用紙後処理制御部２０、用紙搬送部５０３、ボックス部１０−１〜１０−１０、検知部１７−１〜１７−１０及びソレノイド１５−１〜１５−１０を備える。
【００５３】
１０個のボックス部１０−１〜１０−１０のそれぞれに対応して、印刷済用紙が所定量に到達したこと検知する検知部１７−１〜１７−１０、扉部１１をロックするソレノイド１５−１〜１５−１０が設けられている。検知部１７−１〜１７−１０を区別する必要がなければ、検知部１７と記載する。検知部１７については上述したとおりである。ソレノイド１５−１〜１５−１０を区別する必要がなければ、ソレノイド１５と記載する。ソレノイド１５については上述したとおりである。
【００５４】
用紙後処理制御部２０は制御部６００(図３)とバスで接続されており、用紙後処理部５００の制御をする。用紙後処理制御部２０は選択部２１、記憶部２２、切換部２３、割当部２４、受付部２５及びパスワード印刷命令部２６を備える。これらの機能は、用紙後処理制御部２０を構成するＣＰＵ、ＲＯＭ及びＲＡＭ等により実現される。
【００５５】
選択部２１は、印刷済用紙の排出先となるボックス部１０を１０個のボックス部１０から選択し、選択されたボックス部１０に複数の印刷済用紙を排出中に、選択されたボックス部１０の印刷済用紙が所定量(例えば、満杯又は満杯に近い量)に到達したことが検知部１７により検知された場合、残りの印刷済用紙を排出するボックス部１０を１０個のボックス部１０から選択する。
【００５６】
記憶部２２は、１０個のボックス部１０のうち印刷済用紙が排出されたボックス部１０に割り当てられた取出許可情報等のデータを記憶する。図９は記憶部２２に記憶されているデータの一例を示す図である。１番ボックス部１０−１はユーザーＡに、２番ボックス部１０−２はユーザーＢに、３番ボックス部１０−３はユーザーＣに、４番ボックス部１０−４はユーザーＤに、５番ボックス部１０−５はユーザーＥに、それぞれ予め割り当てられている。６番〜１０番ボックス部１０−６〜１０−１０は、１番〜５番ボックス部１０−１〜１０−５のいずれかにおいて、印刷済用紙の排出中に印刷済用紙が所定量になった場合、残りの印刷済用紙を排出するボックス部１０となる。
【００５７】
パスワードの欄には、割当部２４で生成されたパスワードが記憶される。パスワードは取出許可情報の一例である。各ユーザーがパソコン等を操作して印刷ジョブの実行を命令することにより、割当部２４でパスワードが生成されて、生成されたパスワードがパスワードの欄に記憶される。ユーザーが自身に割り当てられたボックス部１０の扉部１１を開ける場合に、パスワードを入力し、入力されたパスワードとパスワード欄に記憶されているパスワードが一致すれば、扉部１１のロックが解除されて、扉部１１を開けることができるようにされている。
【００５８】
６番〜１０番ボックス部１０−６〜１０−１０については、使用されているボックス部１０については使用中を示すデータ(例えば「１」)が記憶され、使用されていないボックス部１０については未使用を示すデータ(例えば「０」)が記憶される。１番〜５番ボックス部１０−１〜１０−５のいずれかにおいて、印刷済用紙の排紙中に、ボックス部１０の印刷済用紙が所定量になり、選択部２１により、残りの印刷済用紙を排出するボックス部１０が選択されると、選択されたボックス部１０は使用中を示すデータが記憶される。
【００５９】
受付部２５は用紙後処理装置５００の外部から入力された取出許可情報を受け付ける。
【００６０】
割当部２４は、１０個のボックス部１０のうち二以上のボックス部１０が選択部２１により選択されて印刷済用紙が排出された場合、最初に選択されたボックス部１０以外のボックス部１０に対してそれぞれ異なるパスワード(取出許可情報の一例)を割り当てて、図９に示すデータのパスワード欄に対応付けて記憶部２２に記憶させる。
【００６１】
切換部２３は、印刷済用紙が排出されたボックス部１０について、記憶部２２に記憶されている取出許可情報と受付部２５で受け付けられた取出許可情報とが一致していると判断した場合、その取出許可情報が割り当てられたボックス部１０の取出阻止部材(具体的には扉部１１とソレノイド１５)に対して、取出口部１３から印刷済用紙が取り出されるのを阻止する状態(扉部１１がロックされた状態)から取出口部１３から印刷済用紙が取り出せる状態(扉部１１のロックが解除された状態)に切り換え制御をする。
【００６２】
１０個のボックス部１０のうち二以上のボックス部１０が選択部２１により選択されて印刷済用紙が排出された場合、切換部２３は、(１) 最初に選択されたボックス部１０については、記憶部２２に記憶されている取出許可情報であるパスワードと、受付部２５で受け付けられた取出許可情報であるパスワードとが一致していると判断した場合に、最初に選択されたボックス部１０の取出阻止部材に対する前記切り換え制御を実行し、(２)最初に選択されたボックス部１０以外のボックス部１０については、第ｎ番目(ｎは２以上の整数)に選択されたボックス部１０に割り当てられた、記憶部２２に記憶されている取出許可情報と、受付部２５で受け付けられた、第ｎ−１番目に選択されたボックス部１０に排出された用紙に印刷されている取出許可情報とが一致していると判断した場合に、第ｎ番目に選択されたボックス部１０の取出阻止部材に対する切り換え制御を実行する。
【００６３】
割当部２４がパスワードを取出許可情報として、第ｎ番目に選択されたボックス部１０に割り当てて、記憶部２２に記憶させた場合、パスワード印刷命令部２６は、第ｎ番目に選択されたボックス部１０に割り当てられたパスワードを、画像形成装置１により用紙に印刷させて、第ｎ−１番目に選択されたボックス部１０に排出させる。
【００６４】
用紙搬送部５０３は搬送路切換機構５０４を備える。搬送路切換機構５０４は、用紙後処理部５００内で印刷済用紙が搬送される搬送路の経路を切り換える機構である。選択部２１は、１番ボックス部１０−１〜１０番ボックス部１０−１０のうち、選択したボックス部１０に印刷済用紙が搬送されるように、搬送路切換機構５０４を制御する。
【００６５】
次に、本実施形態に係る画像形成装置１を用いて画像を用紙に印刷し、この印刷済用紙をボックス部１０に排出する処理について、ユーザーＡの印刷命令を例にして説明する。図１０及び図１１はこれを説明するフローチャートである。
【００６６】
ユーザーＡは自身がユーザー登録されているパソコンを操作して、画像を印刷する命令をする(ステップＳ１)。これにより、ユーザーＡの印刷命令及び印刷される画像のデータが、ＬＡＮ７０７(図３)を経由して、ユーザーＡのパソコンから画像形成装置１の制御部６００に送られる。制御部６００は装置本体１００を制御して、装置本体１００に印刷を開始させる。
【００６７】
ユーザーＡの印刷命令は選択部２１にも送られる。選択部２１は記憶部２２に記憶されている図９に示すデータを参照して、ユーザーＡに予め割り当てられている１番ボックス部１０−１を選択する(ステップＳ２)。選択部２１は搬送路切換機構５０４を制御して、印刷済用紙が１番ボックス部１０−１に排出されるようにする。
【００６８】
割当部２４は、ステップＳ１の印刷命令が実行されて１番ボックス部１０−１に排出された印刷済用紙を取り出すためのパスワードを生成し、１番ボックス部１０−１に割り当てられたパスワードとして、記憶部２２に記憶させる(ステップＳ３)。言い換えれば、図９に示すデータにおいて、１番ボックス部のパスワード欄に対応づけてパスワードを記憶部２２に記憶させる。なお、割当部２４でパスワードを生成する替わりに、ユーザーＡがパスワードを決定し、そのパスワードをパソコンを操作して、割当部２４に送信してもよい。
【００６９】
割当部２４はステップＳ３で生成したパスワードを、ＬＡＮ７０７を経由してユーザーＡのパソコンに送る。これにより、ユーザーＡのパソコンの画面には、このパスワードが表示される(ステップ４)。なお、割当部２４はステップＳ３で生成したパスワードを、ユーザーＡのパソコンに送らないで、表示部４０３に表示させるようにしてもよい。
【００７０】
画像形成装置１では印刷が実行されており(ステップ５)、印刷済用紙が１番ボックス部１０−１に排出される。選択部２１は、１番ボックス部１０−１の印刷済用紙が所定量に到達したことを示す信号が、１番ボックス部の検知部１７−１から出力されているか判断する(ステップＳ６)。
【００７１】
選択部２１が、検知部１７−１から１番ボックス部１０−１の印刷済用紙が所定量に到達したことを示す信号が出力されていると判断しない場合(ステップＳ６でＮｏ)、選択部２１は印刷が完了したか判断する(ステップＳ７)。制御部６００は印刷が完了すれば、選択部２１に印刷完了を通知する。この通知がされた場合、選択部２１は印刷が完了したと判断し、この通知がされていない場合、選択部２１は印刷が完了していないと判断する。
【００７２】
選択部２１が、印刷が完了したと判断しない場合(ステップＳ７でＮｏ)、ステップＳ５に戻る。一方、選択部２１が、印刷が完了したと判断した場合(ステップＳ７でＹｅｓ)、ユーザーＡはステップＳ４でパソコンの画面に表示されたパスワードを、図１に示すテンキー４０９を操作して、操作部４００に入力する(ステップＳ８)。これは、取出許可情報を外部からの操作で入力する一例である。なお、パスワード(取出許可情報)を外部からの操作で入力する他の例として、用紙後処理部５００にパスワード(取出許可情報)を入力できる操作部を設けていてもよい。
【００７３】
制御部６００は、操作部４００に入力されたパスワードを受付部２５に送り、パスワードは受付部２５で受け付けられる。
【００７４】
切換部２３は、記憶部２２に記憶されている図９に示すデータを参照して、操作部４００に入力されて受付部２５で受け付けられたパスワードが、１番ボックス部１０−１に割り当てられているパスワードと一致するか判断する(ステップＳ９)。
【００７５】
切換部２３が、パスワードが一致していると判断した場合(ステップＳ９でＹｅｓ)、切換部２３は１番ボックス部のソレノイド１５−１のプランジャー１５ａを引っ込める信号を、１番ボックス部のソレノイド１５−１に送る。これにより、１番ボックス部１０−１の扉部１１のロックが解除され(ステップＳ１０)、言い換えれば、印刷済用紙を取り出すボックス部１０−１の取出阻止部材(扉部１１とソレノイド１５−１)が、取出口部１３から印刷済用紙が取り出されるのを阻止する状態から取出口部１３から印刷済用紙が取り出せる状態に切り換えられる。従って、印刷済用紙を１番ボックス部１０−１から取り出すことができる。
【００７６】
切換部２３が、パスワードが一致していると判断しない場合(ステップＳ９でＮｏ)、１番ボックス部１０−１の扉部１１のロックが維持される(ステップＳ１１)。従って、１番ボックス部１０−１の印刷済用紙を取り出すことができない。
【００７７】
一方、選択部２１が、検知部１７−１から１番ボックス部１０−１の印刷済用紙が所定量に到達したことを示す信号が出力されていると判断した場合(ステップＳ６でＹｅｓ)、選択部２１は残りの印刷済用紙を排出するボックス部１０を新たに選択する(図１１に示すステップＳ１２)。詳細に説明すると、選択部２１は、記憶部２２に記憶されている図９に示すデータを参照して、６番〜１０番ボックス部１０−６〜１０−１０のうち、未使用のボックス部１０(例えば７番ボックス部１０−７)を選択する。選択部２１は、図９に示すデータにおいて、選択したボックス部１０(ここでは、７番ボックス部１０−７)のユーザー欄に対応づけてユーザーＡを記憶部２２に記憶させる。
【００７８】
割当部２４は７番ボックス部１０−７(ステップＳ１２で選択したボックス部１０)に排出された印刷済用紙を取り出すためのパスワードを生成し、７番ボックス部１０−７に割り当てられたパスワードとして、記憶部２２に記憶させる(ステップＳ１３)。言い換えれば、図９に示すデータにおいて、７番ボックス部のパスワード欄に対応づけてパスワードを記憶部２２に記憶させる。
【００７９】
パスワード印刷命令部２６はステップＳ１３で生成されたパスワードを、制御部６００に送り、パスワードの印刷命令をする。これにより、制御部６００は装置本体１００を制御して、そのパスワードを用紙に印刷して(ステップＳ１４)、用紙後処理部５００へ搬送する。図１２はステップＳ１４において、パスワードが印刷された用紙１８の一例を示す図である。パスワードが印刷された用紙１８は、１番ボックス部１０−１に排出される。パスワードが印刷された用紙１８は、１番ボックス部１０−１に排出された最後の用紙となる。
【００８０】
選択部２１は搬送路切換機構５０４を制御して、印刷済用紙が７番ボックス部１０−７に排出されるように、用紙後処理部５００内の搬送路を切り換える(ステップＳ１５)。
【００８１】
画像形成装置１では印刷が継続されており(ステップ１６)、残りの印刷済用紙がステップＳ１２で選択されたボックス部１０に排出される。ここでは７番ボックス部１０−７に排出される。選択部２１は、７番ボックス部１０−７の印刷済用紙が所定量に到達したことを示す信号が、検知部１７−７から出力されているか判断する(ステップＳ１７)。
【００８２】
選択部２１が、検知部１７−７から７番ボックス部１０−７の印刷済用紙が所定量に到達したことを示す信号が出力されていると判断した場合(ステップＳ１７でＹｅｓ)、ステップＳ１２に戻る。
【００８３】
選択部２１が、検知部１７−７から７番ボックス部１０−７の印刷済用紙が所定量に到達したことを示す信号が出力されていると判断しない場合(ステップＳ１７でＮｏ)、選択部２１は印刷が完了したか判断する(ステップＳ１８)。この判断はステップＳ７と同様である。
【００８４】
選択部２１が、印刷が完了したと判断しない場合(ステップＳ１８でＮｏ)、ステップＳ１６に戻る。選択部２１が、印刷が完了したと判断した場合(ステップＳ１８でＹｅｓ)、ステップＳ８に進む。
【００８５】
７番ボックス部１０−７(第２番目に選択されたボックス部１０)の扉部１１のロックを解除するパスワードは、１番ボックス部１０−１(第１番目に選択されたボックス部１０)に排出された図１２に示す用紙１８に印刷されている。従って、ユーザーＡは、まず、ユーザーＡのパソコンの画面に表示されたパスワードを操作部４００に入力する。入力されたパスワードは受付部２５で受け付けられる。切換部２３は受付部２５で受け付けられたパスワードが、１番ボックス部１０−１に割り当てられているパスワードと一致していると判断した場合、１番ボックス部１０−１の扉部１１のロックを解除する(ステップＳ１０)。
【００８６】
そして、１番ボックス部１０−１から印刷済用紙及び図１２に示す用紙１８を取り出して、この用紙１８に印刷されているパスワードを、操作部４００に入力する。入力されたパスワードは受付部２５で受け付けられる。切換部２３は受付部２５で受け付けられたパスワードが、７番ボックス部１０−７に割り当てられているパスワードと一致していると判断した場合、７番ボックス部１０−７の扉部１１のロックを解除する(ステップＳ１０)。これにより、７番ボックス部１０−７に排出された印刷済用紙を取り出すことができる。
【００８７】
本実施形態の主な効果を説明する。本実施形態では、１０個のボックス部１０に印刷済用紙が排出される際に、二以上のボックス部１０が選択されて排出された場合、最初に選択されたボックス部１０の扉部１１のロックを解除する制御(ボックス部１０の取出阻止部材に対する切り換え制御)を、パスワードからなる取出許可情報を用いて実行する。最初に選択されたボックス部１０以外のボックス部１０については、第ｎ番目(ｎは２以上の整数)に選択されたボックス部１０の扉部１１のロックを解除する制御を、第ｎ−１番目に選択されたボックス部１０に排出された用紙に印刷されているパスワードを用いて実行する。
【００８８】
最初に選択されたボックス部１０については、パスワードの認証により、ボックス部１０から印刷済用紙を取り出す許可がされるので、最初に選択されたボックス部１０に排出された印刷済用紙のセキュリティを確保できる。最初に選択されたボックス部以外のボックス部１０についても、それぞれ異なるパスワードを割り当てて、パスワードの認証により、それらのボックス部１０から印刷済用紙を取り出す許可がされるので、それらのボックス部１０に排出された印刷済用紙のセキュリティも確保できる。
【００８９】
また、最初に選択されたボックス部以外のボックス部１０に割り当てられるパスワードは、第ｎ−１番目に選択されたボックス部１０に排出された用紙に印刷されている。従って、その印刷を命令した者にパスワードの暗記の負担を少なくさせることができると共に、その印刷を命令した者以外の者にパスワードが漏洩することを防止できる。
【００９０】
以上により、本実施形態によれば、画像形成装置１から排出される印刷済用紙について、二以上のボックス部１０が選択されて排出された場合、各ボックス部１０に排出された印刷済用紙のセキュリティを確保しつつ、ボックス部１０から印刷済用紙を取り出し可能にするパスワードの暗記の負担を少なくすることができる。
【００９１】
なお、本実施形態では、第ｎ−１番目に選択されたボックス部１０に排出された用紙に印刷されている取出許可情報を、パスワードとする態様である。この態様では、第ｎ−１番目に選択されたボックス部１０が印刷済用紙で満杯になった場合、その後、図１２に示すパスワードを印刷した用紙１８を、第ｎ−１番目に選択されたボックスに排出できなくなる可能性がある。従って、取出許可情報を用紙に印刷されたパスワードとする態様では、ボックス部１０の印刷済用紙が満杯に近い量に到達すれば、選択部２１が次のボックス部１０を選択するようにする。図４に投光部１７ａと受光部１７ｂの高さを調整することにより、ボックス部１０の印刷済用紙が満杯に近い量に到達したことを、検知部１７が検知することができる。
【００９２】
本実施形態の変形例を説明する。変形例では、第ｎ−１番目に選択されたボックス部１０に排出された用紙に印刷されている取出許可情報を、第ｎ−１番目に選択されたボックス部１０に排出された印刷済用紙のうち、最後に排出された印刷済用紙の画像データにしている。
【００９３】
図１３は、第ｎ−１番目に選択されたボックス部１０に排出された印刷済用紙の束の一例を示す図である。一番下の印刷済用紙１６ａが、最後に排出された印刷済用紙である。変形例では、図９に示すデータ中、６番ボックス部１０−６〜１０番ボックス部１０−１０について、パスワード欄の替わりに、画像データ欄が設けられる。図８に示す割当部２４は、第ｎ−１番目に選択されたボックス部１０に最後に排出された印刷済用紙の画像データを画像形成装置１に要求し、画像形成装置１から送られてきたその印刷済用紙の画像データを取出許可情報として、第ｎ番目に選択されたボックス部１０に割り当てて、記憶部２２に記憶させる。
【００９４】
変形例では、図１０及び図１１に示すフローチャートにおいて、ステップＳ１３が次のように変更される。割当部２４は制御部６００に対して、１番ボックス部１０−１(第１番目に選択されたボックス部１０)に最後に排出された印刷済用紙１６ａの画像データを、割当部２４に送るように要求する。割当部２４は制御部６００から送られてきた印刷済用紙１６ａの画像データを取出許可情報として、図９に示すデータにおいて、７番ボックス部１０−７(第２番目に選択されたボックス部１０)の画像データ欄に対応づけて記憶部２２に記憶させる。
【００９５】
変形例では、ステップＳ１４の工程が不要となる。  
【００９６】
変形例では、印刷済用紙の取り出しは以下のようにして行う。７番ボックス部１０−７(第２番目に選択されたボックス部１０)の扉部１１のロックを解除する取出許可情報は、１番ボックス部１０−１(第１番目に選択されたボックス部１０)に最後に排出された図１３に示す印刷済用紙１６ａの画像である。従って、ユーザーＡは、まず、ユーザーＡのパソコンの画面に表示されたパスワードを操作部４００に入力して、１番ボックス部１０−１の扉部１１のロックを解除する(ステップＳ１０)。そして、１番ボックス部１０−１から印刷済用紙１６ａを含む印刷済用紙を取り出して、操作部４００を操作して最後に排出された印刷済用紙１６ａの画像を原稿読取部２００に読み取らせる操作をする。受付部２５は、原稿読取部２００で読み取られた、１番ボックス部１０−１に最後に排出された印刷済用紙１６ａの画像データを、取出許可情報として受け付ける。切換部２３は、受付部２５で受け付けられた印刷済用紙１６ａの画像データと、図９に示す７番ボックス部１０−７に割り当てられた画像データが一致すれば、７番ボックス部１０−７の扉部１１のロックを解除する。これにより、７番ボックス部１０−７に排出された印刷済用紙を取り出すことができる。
【００９７】
変形例によれば、第ｎ−１番目に選択されたボックス部１０に排出された印刷済用紙のうち、最後に排出された印刷済用紙の画像データを、取出許可情報にしている。従って、第ｎ−１番目に選択されたボックス部１０には、印刷済用紙が満杯になるまで印刷済用紙を排出することができる。
【００９８】
また、変形例によれば、第ｎ番目に選択されたボックス部１０に排出された印刷済用紙を取り出すための認証に用いる印刷済用紙の画像(すなわち、第ｎ−１番目に選択されたボックス部１０に最後に排出された印刷済用紙の画像)の読み取りを、画像形成装置１に備えられる原稿読取部２００で実行している。従って、印刷済用紙を取り出すための認証に用いる印刷済用紙の画像を読み取る装置を、用紙後処理部５００に設置する必要をなくすことができる。
【符号の説明】
【００９９】
１  画像形成装置
１０，１０−１〜１０−１０  ボックス部
１１  扉部(取出阻止部材の構成要素)
１３  取出口部
１５，１５−１〜１５−１０  ソレノイド(取出阻止部材の構成要素)
１６，１６ａ  印刷済用紙
１７  検知部
２１  選択部
２２  記憶部
２３  切換部
２４  割当部
２５  受付部
２６  パスワード印刷命令部
５００  用紙後処理部(用紙後処理装置の一例)
【図１】
0005487155.tif 000002
【図２】
0005487155.tif 000003
【図３】
0005487155.tif 000004
【図４】
0005487155.tif 000005
【図５】
0005487155.tif 000006
【図６】
0005487155.tif 000007
【図７】
0005487155.tif 000008
【図８】
0005487155.tif 000009
【図９】
0005487155.tif 000010
【図１０】
0005487155.tif 000011
【図１１】
0005487155.tif 000012
【図１２】
0005487155.tif 000013
【図１３】
0005487155.tif 000014